(57)【要約】    【課題】リモコン装置自体の操作に基づいて利用者に関連する情報を外部に通知する。    【解決手段】リモコン装置３０は、電源押しボタンキースイッチ３３１の操作に基づくオン・オフデータからログメッセージを生成して移動体通信網を介してサーバ資源６０に送る。サーバ資源６０はログメッセージを管理する。加入者は携帯端末５０の表示画面上の閲覧プロンプトを基づいて閲覧請求をサーバ資源６０に送り、サーバ資源は閲覧データを携帯端末５０に送り、加入者が所望のログ情報を閲覧する。リモコン装置３０からコールバック要求押しボタンキースイッチ３３２に基づくコールバック要求メッセージがサーバ資源６０に送られると、サーバ資源６０は加入者の携帯端末５０にコールバックプロンプトを表示させる。加入者がプロンプトを選択操作すると、リモコン装置応用アプリケーション５２５Ａがリモコン装置３０の利用者の居宅の電話に発呼する処理を起動する。【選択図】図２
2017097665.tif 000002
【特許請求の範囲】
【請求項１】
コンテンツ視聴機器を遠隔制御するリモコン装置において、
ユーザが操作する複数の操作要素と、
上記操作要素のうちの１または複数の操作要素に対するユーザの操作に基づいたメッセージを所定の宛先に向けて送信する無線通信送信部とを有することを特徴とするリモコン装置。
【請求項２】
上記無線通信送信部は移動体通信送信部である請求項１記載のリモコン装置。
【請求項３】
上記メッセージは、操作者が電話のコールを要求していることを予め指定された相手方情報端末において表示するために用いられる請求項１または２記載のリモコン装置。
【請求項４】
上記メッセージは、当該メッセージ専用の操作要素に対応付けられている請求項１〜３のいずれかに記載のリモコン装置。
【請求項５】
上記メッセージは、複数の予め定められた操作要素の同時操作に対応付けられる請求項１〜３のいずれかに記載のリモコン装置。
【請求項６】
上記メッセージに対応する操作要素は、上記コンテンツ視聴機器をオンまたはオフするための操作要素である請求項１〜４のいずれかに記載のリモコン装置。
【請求項７】
リモコン信号受信装置において、
リモコン装置からのリモコン信号を受信する受信部と、
受信したリモコン信号に基づいてメッセージを所定の宛先に無線通信経路を介して送信する送信部を有することを特徴とするリモコン信号受信装置。
【請求項８】
リモコン信号送信装置において、
他のリモコン装置からのリモコン信号を受信する受信部と、
受信部で受信したリモコン信号を制御機器で用いる搬送波で変調して出力する変調手段と、
上記受信部で受信したリモコン信号に基づいてメッセージを所定の宛先に無線通信経路を介して送信する送信部を有することを特徴とするリモコン信号送信装置。
【請求項９】
コンテンツ視聴機器を遠隔制御するリモコン装置と、サーバ装置と、情報端末とを有する情報送信システムにおいて、
上記リモコン装置は、
ユーザが操作する複数の操作要素と、
上記操作要素のうちの１または複数の操作要素に対するユーザの操作に基づいたメッセージを上記サーバ装置に向けて送信する無線通信送信部とを有し、
上記サーバ装置は、上記メッセージを受信して処理し、処理結果を上記情報端末に送信し、
上記情報端末は、上記サーバ装置から受信した上記処理結果に基づく表示を行うことを特徴とする情報送信システム。
【請求項１０】
上記情報端末における上記表示は、上記リモコン装置の操作者が電話のコールを要求していることを内容とする表示である請求項９記載の情報送信システム。
【請求項１１】
上記情報端末は、上記表示が操作されたときに所定の宛先に発呼する請求項１０記載の情報通信システム。
【請求項１２】
請求項１０に記載の情報送信システムに用いられる携帯端末のプロセッサで実行されるプログラムにおいて、
上記サーバ装置から、上記リモコン装置の操作者が電話のコールを要求していることを表示する内容の上記処理結果を受信する手段、
受信した上記処理結果に基づいて上記リモコン装置の操作者が電話のコールを要求していることを内容とするプロンプト表示を表示する手段、および、
上記プロンプト表示に対するユーザ操作に基づいて所定の宛先に発呼させる手段として上記プロセッサを構成することを特徴とするプログラム。
【請求項１３】
コンテンツ視聴機器を遠隔制御するリモコン装置と、情報端末とを有する情報送信システムにおいて、
上記リモコン装置は、
ユーザが操作する複数の操作要素と、
上記操作要素のうちの１または複数の操作要素に対するユーザの操作に基づいたメッセージを所定の宛先に送信する無線通信送信部とを有し、
上記情報端末は、上記メッセージに基づいて表示を行うことを特徴とする情報送信システム。
【請求項１４】
電気機器を遠隔制御するリモコン装置において、
ユーザが操作する複数の操作要素と、
上記操作要素のうちの１または複数の操作要素に対するユーザの操作に基づいたメッセージを所定の宛先に向けて送信する無線通信送信部とを有することを特徴とするリモコン装置。
【発明の詳細な説明】
【技術分野】
【０００１】
この発明は、リモコン装置およびリモコン装置を利用したリモコン装置応用通信システムに関する。
【背景技術】
【０００２】
テレビジョン受像機等、家庭電気製品を遠隔制御するリモコン装置が広く普及している。とくに家庭で生活する上で、リモコン装置が、種々の場面で、かつ、繰り返し使用されている。このような広く普及している装置を、情報の発信に利用することが望まれる。
【０００３】
特開２００２−３１４７１４号公報（特許文献１）は、テレビジョン受像機に対する、チャンネル切り換え等の操作を監視して利用者の異常等が判別されたときに、テレビジョン受像機に接続された通信ネットワークを介して緊急連絡先に通知を行うことを開示している。
【０００４】
特開平１０−２４８０９３号公報（特許文献２）は、１または複数の家庭電気製品に操作状況検出部を設け、検出信号を電源線に重畳して集中管理部に送り、さらに電話回線を介して外部の生活モニター部に送り、高齢者等の安否確認等の監視を行えるようにすることを開示している。
【０００５】
特開２０００−２７０３７８３号公報（特許文献３）は、家庭電気製品自体が使用状況を検出・記憶し、この家庭電気製品に接続された電話回線を介した、外部からの問い合わせに応じて、家庭電気製品から使用情報データを当該電話回線を介して外部に送信することを開示している。
【０００６】
特許第５２７６８９３号公報（特許文献４）は、電化機器のオン・オフを検出する電気計測器を通信ネットワークに接続してオン・オフのサイクルに基づいて安否確認メールや注意喚起メールを外部に送信することを開示している。
【０００７】
特許第５０７８３１０号公報（特許文献５）は、第１の携帯端末で所定の操作の状況があるときに異常なし通知メールを第２の携帯端末に送信し、さらに、第１の携帯端末において異常なし通知メールを送信しないモードに設定が行われたときにその設定の通知を行うメールを送信することを開示している。
【０００８】
リモコン装置自体の操作に基づいて利用者に関連する情報を外部に通知することが望まれる。
【０００９】
上述の従来技術やその問題点は、この発明の背景の一部を説明するためにのみ説明している。この発明は上述の従来技術や問題点に限定されるものではない点に留意されたい。
【先行技術文献】
【特許文献】
【００１０】
【特許文献１】特開２００２−３１４７１４号公報
【特許文献２】特開平１０−２４８０９３号公報
【特許文献３】特開２０００−２７０３７８３号公報
【特許文献４】特許第５２７６８９３号公報
【特許文献５】特許第５０７８３１０号公報
【発明の概要】
【発明が解決しようとする課題】
【００１１】
この発明は、以上の事情を考慮してなされたものであり、リモコン装置自体の操作に基づいて利用者に関連する情報を外部に通知する技術を提供することを目的としている。
【課題を解決するための手段】
【００１２】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【００１３】
すなわち、この発明の一側面によれば、上述の目的を達成するために、コンテンツ視聴機器を遠隔制御するリモコン装置に、ユーザが操作する複数の操作要素と、上記操作要素のうちの１または複数の操作要素に対するユーザの操作に基づいたメッセージを所定の宛先に向けて送信する無線通信送信部とを設けている。
【００１４】
操作要素は、アクチュエータ手段であり、ユーザの操作を受けて、遠隔制御に用いるリモコン信号やそれ以外の補助的な信号を、リモコン装置が発生させるためのものであり、リモコン装置の筐体に設けられた、押しボタンスイッチ、スライドスイッチ、ロータリスイッチ、トグルスイッチ等、種々の形態のキースイッチを含み、また、リモコンスイッチがタッチパネル等を含む場合には、アイコン等の表示を含む。コンテンツ視聴機器は典型的にはテレビジョン受像機であるけれども、録画再生装置、パーソナルコンピュータ等、コンテンツを使用可能にする情報端末、ゲーム機等を含む。メッセージは、意味内容を所定のフォーマットで表現したデータであり、任意のフォーマットを採用できる。メッセージの宛先は、例えば、サーバ装置であるけれども、所定の携帯電話等の受信装置宛てでも良い。「１１０番通報」、「１１９番通報」等に関連するサービスを宛先として含んでも良い。宛先としてサーバ装置が指定されている場合にはサーバ装置により所定のサービスが提供される。このサービスは任意であるけれども、例えば、安否確認サービス、コールバック引継サービス、通報引継サービス等であって良い。
【００１５】
この構成において、上記無線通信送信部は移動体通信の通信プロトコルで送信を行う送信部であって良い。移動体通信の通信プロトコルは、例えば、時分割多重アクセス（ＴＤＭＡ）、符号分割多重接続（ＣＤＭＡ）等の移動体通信の通信プロトコルである。無線通信送信部は、無線ＬＡＮ（ＩＥＥＥ８０２．１１ｂ、ＩＥＥＥ８０２．１１ａ、ＩＥＥＥ８０２．１１ｇ及び／又はＩＥＥＥ８０２．１１Ｎ）、ブルートゥース（ＩＥＥＥ８０２．１５．１）、Ｗｉ−ＭＡＸ（ＩＥＥＥ８０２．１６）等の通信プロトコルを実装して構成してもよい。
【００１６】
この構成において、上記メッセージは、操作者が電話のコールを要求していることを予め指定された相手方情報端末において表示するために用いられてよい。メッセージの送信宛先は典型的には通信ネットワーク例えばインターネットを介したサーバ装置であり、サーバ装置は、当該メッセージに基づいて所定の情報端末に操作者が電話のコールを要求していることを予め指定された相手方情報端末において表示するために使用される。
【００１７】
上記メッセージは、当該メッセージ専用の操作要素に対応付けられて良い。この場合、リモコン装置の筐体の外面の対応する位置にメッセージに関連する表示がなされることが好ましい。上記メッセージは、操作者が電話のコールを要求していることを予め指定された相手方情報端末において表示するために用いられる場合には、例えば、「コールバック」等の表示が付される。宛先に応じて「１１０番」、「１１９番」、「病院」等の表示であっても良い。
【００１８】
上記メッセージは、複数の予め定められた操作要素の同時操作に対応付けられて良い。例えば、チャンネルを指定する数字キーのうちの所定のもの、例えば「１」と「２」の操作要素（アクチュエータ）が同時に押されたときに、メッセージが送信されて良い。所定の時間窓（例えば、数分の１秒）で２つの操作要素の操作が検出されたときには単独キーのリモコン信号の発生に優先させてメッセージを送信してよい。
【００１９】
上記メッセージに対応する操作要素は、上記コンテンツ視聴機器をオンまたはオフするための操作要素であって良い。
【００２０】
この発明の他の側面によれば、リモコン信号受信装置に、リモコン装置からのリモコン信号を受信する受信部と、受信したリモコン信号に基づいてメッセージを所定の宛先に無線通信経路を介して送信する送信部とを設けている。
【００２１】
この発明のさらに他の側面によれば、リモコン信号送信装置に、他のリモコン装置からのリモコン信号を受信する受信部と、受信部で受信したリモコン信号を制御機器で用いる搬送波で変調して出力する変調部と、上記受信部で受信したリモコン信号に基づいてメッセージを所定の宛先に無線通信経路を介して送信する送信部とを設けている。
【００２２】
この発明のさらに他の側面によれば、情報送信システムを、コンテンツ視聴機器を遠隔制御するリモコン装置と、サーバ装置と、情報端末とを含んで構成し、上記リモコン装置は、ユーザが操作する複数の操作要素と、上記操作要素のうちの１または複数の操作要素に対するユーザの操作に基づいたメッセージを上記サーバ装置に向けて送信する無線通信送信部とを含み、上記サーバ装置は、上記メッセージを受信して処理し、処理結果を上記情報端末に送信し、上記情報端末は、上記サーバ装置から受信した上記処理結果に基づく表示を行うようにしている。
【００２３】
この構成において、上記情報端末における上記表示は、上記リモコン装置の操作者が電話のコールを要求していることを内容とする表示であって良い。
【００２４】
また、上記情報端末は、上記表示が操作されたときに所定の宛先に発呼して良い。
【００２５】
この発明のさらに他の側面によれば、コンテンツ視聴機器を遠隔制御するリモコン装置と、サーバ装置と、情報端末とを有する情報送信システムであって、上記リモコン装置は、ユーザが操作する複数の操作要素と、上記操作要素のうちの１または複数の操作要素に対するユーザの操作に基づいたメッセージを上記サーバ装置に向けて送信する無線通信送信部とを有し、上記サーバ装置は、上記メッセージを受信して処理し、処理結果を上記情報端末に送信し、上記情報端末は、上記サーバ装置から受信した上記処理結果に基づく表示を行い、上記情報端末における上記表示は、上記リモコン装置の操作者が電話のコールを要求していることを内容とする表示である、上記情報送信システムに用いられる、携帯端末のプロセッサで実行されるプログラムが、上記サーバ装置から、上記リモコン装置の操作者が電話のコールを要求していることを表示する内容の上記処理結果を受信する手段、および、受信した上記処理結果に基づいて上記リモコン装置の操作者が電話のコールを要求していることを内容とするプロンプト表示を表示する手段として上記プロセッサを構成するようになっている。
【００２６】
この発明のさらに他の側面によれば、コンテンツ視聴機器を遠隔制御するリモコン装置と、情報端末とを有する情報送信システムにおいて、上記リモコン装置は、ユーザが操作する複数の操作要素と、上記操作要素のうちの１または複数の操作要素に対するユーザの操作に基づいたメッセージを所定の宛先に送信する無線通信送信部とを有し、上記情報端末は、上記メッセージに基づいて表示を行うようになっている。
【００２７】
この発明のさらに他の側面によれば、電気機器を遠隔制御するリモコン装置に、ユーザが操作する複数の操作要素と、上記操作要素のうちの１または複数の操作要素に対するユーザの操作に基づいたメッセージを所定の宛先に向けて送信する無線通信送信部とを設けるようにしている。
【００２８】
情報端末は、典型的には、携帯型端末または移動端末であり、例えば、携帯電話機であるけれども、携帯型コンピュータ、タブレット・コンピュータ、メディア・プレイヤ、パーソナルデジタルアシスタンツ、および、これら製品の２つ以上の組み合わせ、デスクトップ型パーソナルコンピュータ等を含む、任意の装置であってよい。
【００２９】
サーバ装置は、典型的にはＨＴＴＰ準拠のウェブベースのサーバ装置を含むけれども、他の通信方式に準拠した任意のサーバ装置であってもよく、アプリケーションサーバ、データベース管理サーバ、メールサーバを含んで良い。
【００３０】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるプログラム（ソフトウェア製品）もこの発明の技術的な範囲に含まれることも当然である。
【００３１】
この発明の上述の側面および他の側面は特許請求の範囲に記載され以下実施例を用いて詳述される。
【発明の効果】
【００３２】
この発明によれば、リモコン装置自体の操作に基づいて利用者に関連する情報を外部に通知することができる。
【図面の簡単な説明】
【００３３】
【図１】この発明の実施例のリモコン装置応用通信システムの加入者、利用者、サービス提供者の関係を説明する図である。
【図２】この発明の実施例のリモコン装置応用通信システムの実行される環境を説明する図である。
【図３】図１のリモコン装置の構成例を示すブロック図である。
【図４】図１のリモコン装置の外観例を示す図である。
【図５】図１のリモコン装置の機能ブロック図である。
【図６】図１の携帯端末の構成例を示すブロック図である。
【図７】図１の携帯端末の機能ブロック図である。
【図８】図１のリモコン装置から移動体通信網を介して送信されるメッセージの例を説明する図である。
【図９】図１のサーバ資源の加入者に関するユーザ管理部のユーザレコードを説明する図である。
【図１０】図１のサーバ資源のレコード管理部の通知レコードを説明する図である。
【図１１】図１のリモコン装置のリモコンキー操作部３３０のキーエンコードを説明する図である。
【図１２】図１の携帯端末の画面表示例を説明する図である。
【図１３】図１のリモコン装置応用通信システムの動作例を説明する図である。
【図１４】この発明の他の実施例を説明する図である。
【図１５】この発明の他の実施例を説明する図である。
【発明を実施するための形態】
【００３４】
以下、この発明の実施例について説明する。
【００３５】
図１は、この発明のリモコン装置応用通信システムの提供するサービスの概要を示しており、サービス提供者１は、リモコン装置３０の利用者２からサービス加入者３への通知サービスを実現する。通知サービスの内容は、リモコン装置３０の操作・利用の状況の提示、例えばオン・オフ操作の履歴の提示や、コールバック要求の提示である。サービス提供者１は、移動体通信機能付きのリモコン装置３０を直接にまたはサービス加入者３を介してリモコン装置利用者２に配付する。リモコン装置利用者２のリモコン装置３０の利用状況やコールバック要求がリモコン装置３０からサービス加入者３の携帯端末５０へと通知される。この通知はサービス提供者１の提供するサーバ資源６０を介して行われるけれども、サーバ資源６０を介することなくリモコン装置３０から携帯端末５０に送られても良い。サービス加入者３はリモコン装置利用者２のリモコン装置３０の利用状況に基づいてリモコン装置利用者２の安否等を確認でき、また、コールバック要求に基づいてリモコン装置利用者２に電話をかけることができる。リモコン装置利用者２はコールバック要求により、簡易にコールバックを催促することができる。
【００３６】
図２は、この発明のリモコン装置応用通信システムをテレビジョン受像機のリモコン装置に適用した実施例を示しており、図において、リモコン装置応用通信システム１０は、居宅２０で使用されるリモコン装置３０、任意の場所の携帯端末５０、およびインターネット７０に接続されたサーバ資源６０を用いて実装される。リモコン装置３０は居宅２０内に配置されているテレビジョン受像機４０をそのリモコン信号受信部４０１を介して遠隔制御するものである。リモコン装置３０は、テレビジョン受像機４０に代えて他のコンテンツ視聴機器や、冷蔵庫、エアコン、照明機器等の家庭電気製品を遠隔制御するものであってもよい。リモコン信号に加え、制御対象機器からの信号も処理して、リモコン装置３０および制御対象機器との間で双方向通信を行ってもよい。居宅２０は、家庭電気製品等が配置される区画であれば、住居に限られず、どのような場所でも良い。リモコン装置３０は、移動体通信機能を有しており、パケット網７１、移動体電話センタ７２を介してインターネット７０に接続可能である。携帯端末５０は、典型的には、多機能携帯電話機（スマートフォン）であるけれども、パーソナルコンピュータ、ゲーム機、その他の情報端末で実現されて良く、また、非携帯型の情報端末であってもよい。サーバ資源６０は、ウェブサーバ６１、アプリケーションサーバ６２、データベース管理システム（以下、ＤＢＭＳともいう）６３、ルータ６４、ＬＡＮ６５等を含んで構成されている。ウェブサーバ６１、アプリケーションサーバ６２、データベース管理システム６３は１つのコンピュータに実装されていても良いし、複数のコンピュータに実装されていても良い。ウェブサーバ６１およびアプリケーションサーバ６２が、加入者に関するユーザ管理サービス（ユーザ管理部６２１）、レコード管理サービス（レコード管理部６２２）、安否監視サービス（安否監視部６２３）、コールバック要求リレーサービス（コールバック要求処理部６２４）等の各種サービスを実行する。携帯端末５０は、移動体通信網（図示しない）およびインターネット７０を介してサーバ資源６０が提供するサービスを受ける。
【００３７】
この実施例では、リモコン装置利用者（以下ユーザともいう）がリモコン装置３０の電源押しボタンキースイッチ３３１（図４）を操作してテレビジョン受像機をオン・オフしたときに、オン・オフ種別およびその時刻に関するレコードを記憶して所定のタイミングで一まとまりのメッセージとして移動体通信網のパケット網７１を介してサーバ資源６０に送信する。リモコン装置３０は、例えばＨＴＴＰ、Ｔｅｌｎｅｔ、ＦＴＰ、ＳＭＴＰ等、任意のプロトコルを用いてメッセージを送信して良い。このメッセージ（以下ログメッセージともいう）は、リモコン装置３０ごとに割り当てられた識別子（以下リモコン識別子ともいう）に関連付けられ、サーバ資源６０はこの識別子を用いてリモコン装置３０ごとの管理を行える。メッセージは例えば図８に示すように識別子と１または複数のログレコード（それぞれ操作時刻情報、オン・オフ種別を含む）を含む。リモコン識別子は、リモコン装置３０の高周波回路部３４０（図３）のＳＩＭモジュール３４１（図３）の移動通信網加入者識別子を用いて良い。サーバ資源６０は、メッセージを例えばウェブサーバ６１で受信し、識別子、時刻情報、オン・オフ種別のログレコードとしてレコード管理部６２２で管理する。サーバ資源６０は、ユーザ管理部６２１を実行し、加入者に関してユーザ情報を管理する。ユーザ情報は例えば図９に示すようなものであり、サービス加入者の識別番号、氏名等、メールアドレス（携帯端末番号）、リモコン装置の識別子、閲覧プロンプトの通知タイミングの設定、安否監視の監視条件、その他を管理している。安否監視部６２３は、加入者ごとの監視条件を参照して、レコード管理部６２２に管理されているログレコードに基づいて所定の監視条件を満たすかどうかを判別して、監視条件を満たす場合には、「安否確認が必要」というメッセージを加入者の携帯端末５０に送信する。コールバック処理部６２４は、ユーザがリモコン装置３０のコールバック要求押しボタンキースイッチ３３２（図３）を操作したときに、リモコン装置３０から送信されるコールバックに関するメッセージを処理するものである。コールバック処理部６２４はこのメッセージに基づいて加入者の携帯端末５０にコールバックが必要な旨の表示を行わせる。
【００３８】
図３はリモコン装置３０の構成例を示すものであり、リモコン装置３０は、処理システム３１０、リモコン信号送信部３２０、リモコンキー操作部３３０、高周波回路部３４０等を有している。構成要素の各々は、適宜、信号処理集積回路、特定用途向け集積回路を含むハードウェア、ソフトウェア、またはこれらを組み合わせて実現できる。処理システム３１０は、特定用途向け集積回路（ＡＳＩＣ、システム・オン・チップ）により構成でき、プロセッサ３１１、メモリコントローラ３１２、周辺インターフェース３１３、メモリ３１４を含んで構成されている。高周波回路部３４０は、移動体通信網上で情報を送信・受信するのに用いられ、この機能を実行するために、アンテナ・システム、ＲＦ送受信機、増幅器、チューナ、発振器、デジタル信号プロセッサ、ＣＯＤＥＣチップセット、メモリ、その他の周知の回路構成を含むが、これらに限られない。また高周波回路部３４０は、移動多通信網の加入者識別子を特定するためのＳＩＭカード３４１を装着している。リモコンキー操作部３３０は、複数のキー操作要素（キー操作要素群ともいう）を含み、キー操作要素は押しボタンスイッチ等を含む。
【００３９】
リモコンキー操作部３３０は、さらに図１１に示すように、１または複数のキーマトリックス３３０Ｂおよびエンコード部３３０Ｃを有し、エンコード部３３０Ｃはキーコードを出力し、リモコン信号送信部３２０はこれに基づいて変調された、キー操作要素に対応する、リモコンデータフォーマットのリモコン信号（例えば赤外線信号）を生成する。リモコンキー操作部３３０のキー操作要素群３３０Ａの構成例は例えば図４に示すようなものであり、複数の押しボタンスイッチ等からなる。この構成例では、リモコンキー操作部３３０のキー操作要素群３３０Ａは電源押しボタンキースイッチ３３１およびコールバック要求押しボタンキースイッチ３３２を含む。
【００４０】
複数の操作キー例えば数字キーが押されたときに、コールバック要求押しボタンキースイッチ３３２が押されたことを示すキーコードを出力して良い。例えば、所定の複数の数字キーのキーコード出力のＡＮＤ処理を行ってコールバック要求のキーコードを生成して良い。この場合、コールバック要求に専用のキーが不要となり、また、リモコン装置３０の筐体の表面にも該当する表示がなくなり、煩雑さがなく、また、複数のキー操作を同時に行うことが必要なので誤ってコールバック要求を行うことが抑制される。操作を簡易にするには隣接するキー例えば「１」と「２」のキーを選定し、操作抵抗を増大させるには、離れたキー例えば「１」と「９」のキーを選定する。
【００４１】
リモコン信号送信部３２０は、リモコンキー操作部３３０の操作に基づくキーコードに基づいて例えば赤外線を搬送波とする変調信号を生成してテレビジョン受像機４０のリモコン信号受信部４０１に送信してテレビジョン受像機４０を遠隔制御する。
【００４２】
図５は、リモコン装置３０の機能ブロックを示し、この図において、リモコン装置３０は、リモコン処理部３０１、ログ処理部３０２、コールバック要求処理部３０３、ログ記憶部３０４、タイマ３０５等を含む。リモコン処理部３０１は、キー操作要素群３３０Ａの操作に基づいてリモコン信号を生成してテレビジョン受像機４０に送信するものである。ログ処理部３０２は、リモコン装置３０のキー操作要素群３３０Ａの電源押しボタンキースイッチ３３１が操作されてオンまたはオフが指示されるたびに、遷移した状態（オンまたはオフ）および時刻をログデータとしてログ記憶部３０４に記憶し、予め定められた時間インターバルでその間のログデータを一まとまりにしてログメッセージとしてサーバ資源６０宛に送信する。オンであるかオフであるかを特定できない場合には、オンまたはオフのいずれかが送られたことを示すだけでよい。テレビジョン受像機４０がオンのときに操作されることが予定されるキーが操作されたときには状態マシーンを「オン」に設定して、オン・オフの区別を行うようにしても良い。送信は高周波回路部３４０に用いて移動体通信網で実行される。コールバック要求処理部３０３は、キー操作要素群３３０Ａのコールバック要求押しボタンキースイッチ３３２が操作されたときに、コールバック要求メッセージを生成してサーバ資源６０宛に送信する。
【００４３】
なお、リモコン装置３０のログ処理部３０２は電源押しボタンキースイッチ３３１が操作されるたびにログメッセージをサーバ資源６０宛てに送信しても良い。また、時間インターバルごとにログメッセージを送信するかわりに、カウンタ３０６を用いて所定数のログデータを一まとめにしてサーバ資源６０に送るようにしても良い。
【００４４】
サーバ資源６０のアプリケーションサーバ６２は、図２に示すように、ユーザ管理部６２１、レコード管理部６２２、安否監視部６２３、コールバック要求処理部６２４の各処理を、ＤＢＭＳ６３等とともに実行する。ユーザ管理部６２１は加入者の情報を管理する。レコード管理部６２２は、リモコン装置３０からのログメッセージを受信して各ログレコードをＤＢＭＳ６３で管理し、また所定のタイミングで加入者の携帯端末５０にログ閲覧プロンプトメッセージを送信する（プッシュ通知で、リモコン装置応用アプリケーション２２５Ａがオフのときでも通知する）。安否監視部６２３は、加入者の設定した安否条件を満たすときに安否監視メッセージを加入者の携帯端末５０に送信する（プッシュ通知）。コールバック要求処理部６２４は、リモコン装置３０からコールバック要求メッセージが送信されてきたときに対応するメッセージを加入者の携帯端末５０に送信する（プッシュ通知）。コールバック要求メッセージもレコード（コールバック要求レコード）としてＤＢＭＳ６３で管理して良い。これらコールバック要求メッセージや安否監視メッセージを加入者の携帯端末５０に通知したときには、図１０に示すように、加入者識別子、タイムスタンプ、メッセージの種類等からなるレコードとしてＤＢＭＳ６３で管理して良い。
【００４５】
図６は、携帯端末５０の構成例を示し、この図において、携帯端末５０は、処理システム５１０、メモリ５２０、入出力サブシステム５３０、高周波回路部５４０、および音声回路部５５０を含む。構成要素の各々は、適宜、信号処理集積回路、特定用途向け集積回路、を含むハードウェア、ソフトウェア、またはこれらを組み合わせて実現できる。高周波回路部５４０は、他の装置に、無線リンクまたはネットワーク上で情報を送信・受信するのに用いられ、この機能を実行するために、アンテナ・システム、ＲＦ送受信機、増幅器、チューナ、発振器、デジタル信号プロセッサ、ＣＯＤＥＣチップセット、メモリ、その他の周知の回路構成を含むがこれらに限られない。また高周波回路部５４０は、加入者識別子と特定するためのＳＩＭカード５４１を装着している。高周波回路部５４０は、時分割多重アクセス（ＴＤＭＡ）、符号分割多重接続（ＣＤＭＡ）等の移動体通信の通信プロトコルを利用できる。音声回路部５５０は、音声スピーカ５５１とマイクロフォン５５２に連結される。処理システム５１０はプロセッサ５１１、メモリコントローラ５１２、周辺装置インターフェース５１３を含む、メモリ５２０は、プロセッサ５１１が実行するコードやデータを格納する。メモリ５２０は、ＲＡＭ、ＲＯＭ、ＦＬＡＳＨ、ディスク・ドライブ、磁気テープ等の任意の記憶装置を含んで良い。プロセッサ５１１は、メモリ５２０に格納された多様なソフトウェア・コンポーネントを実行する。例えば、ソフトウェア・コンポーネントは、オペレーティング・システム５２１、通信モジュール５２２、接触／動作モジュール５２３、グラフィック・モジュール５２４、アプリケーション５２５、タイマ・モジュール５２６、およびウェブ・ブラウザ・モジュール５２７を含む。アプリケーション５２５は、ブラウザ、アドレス帳、電子メール、暗号化、グローバル・ポジショニング・システム（ＧＰＳ）等の位置決定能力を含む。とくに、この実施例では、リモコン装置応用システム用のアプリケーション５２５Ａがインストールされている。入出力サブシステム５３０はタッチパネル５３１等を制御する。
【００４６】
図７は、携帯端末５０においてこの実施例に関連してアプリケーション５２５Ａとして実行される処理（以下、リモコン装置応用アプリケーション５２５Ａともいう）の機能ブロックを示し、この図において、携帯端末５０のリモコン装置応用アプリケーション５２５Ａは、サーバ資源６０からのログ閲覧プロンプトメッセージ、安否監視プロンプトメッセージ、コールバック要求メッセージ等のメッセージを受信するメッセージ受信部５０１、ログ閲覧処理部５０２、安否監視処理部５０３、コールバック処理部５０４を機能ブロックとして含む。ログ閲覧処理部５０１は、プロンプト表示部５０２Ａ、閲覧要求部５０２Ｂ、応答表示部５０２Ｃを含み、サーバ資源６０からのログ閲覧プロンプロメッセージを受取り、これに基づいてプロンプト表示を行い、このプロンプト表示に対するユーザ（加入者）の操作（タップ、クリック等の選択操作）に基づいてサーバ資源６０に対応する閲覧要求を送り、ログ情報（応答）を閲覧する。安否監視処理部５０２は、プロンプト表示部５０３Ａおよび発呼処理部５０３Ｂを含み、サーバ資源６０からの安否監視プロンプトメッセージを受取り、これに基づいて安否監視プロンプト表示を行い、加入者に対してリモコン装置３０の利用者の安否が好ましくないかもしれないことを注意喚起し、さらに、このプロンプロ表示に対するユーザ（加入者）の操作に基づいて例えば、リモコン装置３０の利用者の居宅の電話に発呼する。コールバック処理部５０３は、プロンプト表示部５０４Ａおよび発呼処理部５０４Ｂを含み、サーバ資源６０からのコールバックプロンプトメッセージを受取り、これに基づいてコールバックのプロンプト表示を行い、このプロンプロ表示に対するユーザ（加入者）の操作に基づいて例えば、リモコン装置３０の利用者の居宅の電話（利用者の携帯電話であっても良い）に発呼する。
【００４７】
図１２は、携帯端末５０の表示画面を示し、この表示画面には複数のアプリケーション５２５がアイコンＩＣＯＮ５２５として表示されている（図１２（Ａ））。携帯端末５０がログプロンプトメッセージを受け取るとリモコン装置応用アプリケーション５２５ＡのアイコンＩＣＯＮ５２５Ａに「未読ログ」のプロンプト表示が行われ（図１２（Ｂ））、これを選択操作（例えばタップまたはクリック）すると、アプリケーション５２５Ａが起動される。ログ閲覧を選択して、所定のログの表示を指示すると、図１２（Ｃ）に示すログ閲覧表示画面が表示される。これにより予め定められたタイムスパンで（例えば１日ごと）にリモコン装置３０のオン・オフ状況を知ることができ、リモコン装置３０の利用者の生活状況の一端を知得できる。過去のスパンのログを選択して閲覧することもできる。また、携帯端末５０が安否監視プロンプトメッセージを受け取ると、図１２（Ｄ）に示すように、リモコン装置応用アプリケーション５２５ＡのアイコンＩＣＯＮ５２５Ａに「安否監視」のプロンプト表示が行われ、これを選択操作クすると、アプリケーション５２５Ａが起動され、合致した安否条件の内容が表示され、安否確認を行える。アプリケーション５２５Ａは起動後にも「安否監視」のプロンプト表示を継続し、これをクリックするとリモコン装置３０の利用者の居宅の電話（利用者の携帯電話であっても良い）に発呼し、この発呼に対する利用者の対応（着呼）の有無に基づいて安否を推認できる。また、携帯端末５０がコールバックプロンプトメッセージを受け取ると、図１２（Ｅ）に示すように、リモコン装置応用アプリケーション５２５ＡのアイコンＩＣＯＮ５２５Ａに「コールバック」のプロンプト表示が行われ、これをクリックすると、直ちにリモコン装置３０の利用者の居宅の電話（利用者の携帯電話であっても良い）に発呼する。アプリケーション５２５Ａは、利用者の居宅の電話の着呼の応答メッセージを受け取って表示終了する。コールバックプロンプトに対して長押しすることによってコールバックプロンプトの表示が終了するようにしてよい。
【００４８】
図１３はリモコン装置３０、サーバ資源６０、および携帯端末５０の間の通信状況を示し、この図において、リモコン装置３０は、電源押しボタンキースイッチ３３１の操作（ＰＯＮ）に基づくオン・オフデータを一時記憶し、計測間隔の終了を示すタイムアウトＴＯＵＴを受け取って、オン・オフデータからログメッセージＭＬＯＧを生成してサーバ資源６０に送る。サーバ資源６０は加入者に対して予め定められたタイムスパンで閲覧プロンプトメッセージＭＰＢを生成して加入者の携帯端末５０に送信し、加入者は携帯端末５０の表示画面上の閲覧プロンプト（図１２（Ｂ））を選択操作し、これに基づいて閲覧請求Ｒｅｑがサーバ資源６０に送られ、サーバ資源は閲覧データＲｅｓを携帯端末５０に送り、加入者が所望のログ情報を閲覧する（図１２（Ｃ））。また、サーバ資源６０は、監視条件が満たされたと判別したときに安否監視プロンプトＭＰＳを加入者の携帯端末５０に送る。加入者は携帯端末５０の表示画面上の安否監視プロンプト（図１２（Ｄ））を参照して閲覧要求タスクに進み、ここで閲覧請求Ｒｅｑをサーバ資源６０に送り、サーバ資源は閲覧データＲｅｓを携帯端末５０に送り、加入者が所望のログ情報を閲覧する（図１２（Ｃ））。また、加入者は携帯端末５０の表示画面上の安否監視プロンプト（図１２（Ｄ））を選択操作して、予め定められた電話番号、例えば、リモコン装置利用者の居宅の電話番号に発呼できるようになっている。リモコン装置３０の利用者の居宅の電話（利用者の携帯電話であっても良い）に発呼する。また、リモコン装置３０のコールバック要求押しボタンキースイッチ３３２が操作され（ＰＣＡＬＬ）、コールバック要求メッセージＭＣＡＬＬがリモコン装置３０からサーバ資源６０に送られると、サーバ資源６０は加入者の携帯端末５０にコールバックプロンプトメッセージＭＰＣを加入者の携帯端末５０に送り、携帯端末５０においてコールバックプロンプト（図１２（Ｅ））を表示させる。加入者がプロンプトを選択操作すると、リモコン装置応用アプリケーション５２５Ａがリモコン装置３０の利用者の居宅の電話（利用者の携帯電話であっても良い）に発呼する処理を起動する。こうして、加入者がリモコン装置利用者の希望に応じて適宜にコールバックを行える。
【００４９】
図１４は、上述の実施例の変形例を示しており、この図において、テレビジョン受像機４０の近傍にリモコン信号受信装置８０が設けられている。リモコン装置３０Ａは、移動体通信網に接続されておらず、リモコン信号受信装置８０が移動体通信網に接続されている。リモコン信号受信装置８０は、移動体通信網に接続され、リモコン装置３０Ａから電源のオン・オフ信号やコールバック要求信号を受け取ったときに、先のリモコン装置３０が行った動作を行う。すなわち、ログメッセージやコールバック要求メッセージを移動体通信網を介してサーバ資源６０に送信する。また、リモコン装置３０Ａがコールバック要求信号を送信できるように構成されていないときには、リモコン信号受信装置８０自体にコールバック用の押しボタンスイッチ等の操作要素を設け、この操作要素が操作されたときにコールバック要求の処理を行って、サーバ資源にコールバック要求メッセージを送信するようにしても良い。リモコン信号受信装置８０自体は、テレビジョン受像機４０のリモコン信号受信部の近くに配置することが好ましい。リモコン信号受信装置８０は置物、おもちゃ、人形、貼付シール、貼付バッチ等、種々の形態をとることができる。
【００５０】
図１５は、上述の実施例の他の変形例を示しており、この図において、リモコン信号送信装置９０は、携帯端末５０からのリモコンコードを任意の伝送方式で受け取って、リモコンコード（デバイスまたはベンダーコードおよびデータコード）で赤外線信号を変調してテレビジョン受像機４０に送信する。携帯端末５０の伝送方式は種々可能であり、例えば、Ｂｌｕｅｔｏｏｔｈ（商標）である。リモコン信号送信装置９０は、電源のオン・オフのリモコンコードおよびコールバックのリモコンコード（新設）を受け取ったときにリモコン装置３０が行った動作を行う。リモコン信号送信装置９０自体にコールバック用の押しボタンスイッチ等の操作要素を設け、この操作要素が操作されたときにコールバックの処理を行うようにしても良い。リモコン信号送信装置９０自体は、テレビジョン受像機４０のリモコン信号受信部の近くに配置することが好ましい。リモコン信号送信装置９０は置物、おもちゃ、人形、貼付シール、貼付バッチ等、種々の形態をとることができる。リモコン信号送信装置９０は他のリモコン装置から例えば赤外線信号を受け取って同様の赤外線信号をテレビジョン受像機等に送信して良い。この場合、リモコン信号送信装置９０は赤外線信号のリレーを行うだけであるけれども、サーバ資源等の外部と移動体通信網等を介して通信を行うことができる。リモコン信号送信装置９０が、テレビジョン受像機等の制御対象機器のリモコン信号受信部（赤外光受信部）をカバーするカバー部材として構成される場合、リモコン信号受信部と対面する、カバー部材の裏面に、赤外線発光部（リモコン信号出力部）を形成して良い。
【００５１】
以上で実施例の説明を終了する。
【００５２】
なお、この発明は特許請求の範囲の記載に基づいて決定されるものであり、実施例の具体的な構成、課題、および効果には限定されない。この発明は上述の実施例に限定されるものではなくその趣旨を逸脱しない範囲で種々変更が可能である。
【００５３】
例えば、上述の実施例では、移動体通信網を介してリモコン装置等から所定のメッセージを送信するようにしたけれども、無線ＬＡＮ（ＩＥＥＥ ８０２．１１ｂ、ＩＥＥＥ８０２．１１ａ、ＩＥＥＥ８０２．１１ｇ及び／又はＩＥＥＥ８０２．１１Ｎ）、ブルートゥース（ＩＥＥＥ８０２．１５．１）、Ｗｉ−ＭＡＸ（ＩＥＥＥ８０２．１６）等の通信プロトコルを利用してもよい。
【００５４】
また、テレビジョン受像機のリモコン装置について言及したけれども、録画再生装置、その他のコンテンツ視聴装置、エアコン、冷蔵庫、照明器具、その他の家庭電気製品のリモコン装置にも適用できる。
【符号の説明】
【００５５】
１    サービス提供者
２    リモコン装置利用者
３    サービス加入者
１０    リモコン装置応用通信システム
２０    居宅
３０    リモコン装置
４０    テレビジョン受像機
５０    携帯端末
６０    サーバ資源
６１    ウェブサーバ
６２    アプリケーションサーバ
６３    データベース管理システム
６４    ルータ
７０    インターネット
７１    パケット網
７２    移動体電話センタ
８０    リモコン信号受信装置
９０    リモコン信号送信装置
２２５Ａ    リモコン装置応用アプリケーション
３３０    リモコンキー操作部
３３１    電源押しボタンキースイッチ
３３２    コールバック要求押しボタンキースイッチ
５２５Ａ    リモコン装置応用アプリケーション
【図１】
2017097665.tif 000003
【図２】
2017097665.tif 000004
【図３】
2017097665.tif 000005
【図４】
2017097665.tif 000006
【図５】
2017097665.tif 000007
【図６】
2017097665.tif 000008
【図７】
2017097665.tif 000009
【図８】
2017097665.tif 000010
【図９】
2017097665.tif 000011
【図１０】
2017097665.tif 000012
【図１１】
2017097665.tif 000013
【図１２】
2017097665.tif 000014
【図１３】
2017097665.tif 000015
【図１４】
2017097665.tif 000016
【図１５】
2017097665.tif 000017